(57)【要約】  吸引開口３と、該吸引開口３の側部の糸屑ピッカ５とを備える真空掃除機用具１において、糸屑ピッカ５は、吸引開口３に向かって尖ったエッジを形成する前記吸引開口３の長軸Ａ−Ａに対して２０°〜７０°の角度の線に沿う複数のリム７ａ〜７ｄを有した凹部に取り付けられる。好ましくは、該糸屑ピッカは複数の三角形状のエレメント５ａ〜５ｄを有する。好ましくは、該糸屑ピッカは、吸引開口３の長軸Ａ−Ａに対して２０°〜７０°の角度の線に沿った第１境界と第２境界とを有する複数のエレメント５ａ〜５ｄを有し、第１境界と第２境界との間の角度は１２０°を超えない。本発明の別の態様は、吸引ユニットと、該吸引ユニットに連結されるように構成されたノズルとを備える真空掃除機を提供し、該ノズルは上記掃除機用具１によって形成される。
2022502107.tif 000002
【特許請求の範囲】
【請求項１】
吸引開口と、前記吸引開口の側部における糸屑ピッカであって、凹部に取り付けられる糸屑ピッカとを有する真空掃除機用具であって、
前記凹部が前記吸引開口に向かって尖ったエッジを形成する前記吸引開口の長軸に対して２０°から７０°の角度の線に沿った複数のリムを有する、
真空掃除機用具。
【請求項２】
前記糸屑ピッカが、複数の三角形状のエレメントを有する、請求項１に記載の真空掃除機用具。
【請求項３】
前記糸屑ピッカが前記吸引開口の長軸に対して２０°〜７０°の角度の線に沿った第１及び第２の境界を有する複数のエレメントを有し、前記第１及び第２の境界の間の角度が１２０°を超えない、請求項１に記載の真空掃除機用具。
【請求項４】
吸引ユニットと、前記吸引ユニットに結合されるノズルとを有する真空掃除機であって、
前記ノズルが、請求項１から３の何れか一項に記載の真空掃除機用具により形成される真空掃除機。
【発明の詳細な説明】
【技術分野】
【０００１】
本発明は、真空掃除機用具、すなわち、別個のノズルを有する真空掃除機の場合の真空掃除機ノズル、または一体化されたノズルを有するロボット真空掃除機に関する。本発明は、真空掃除機ノズルを備えた真空掃除機にも関する。
【背景技術】
【０００２】
ＷＯ０２２６０９７は、床面を真空清掃する際に使用するための床ツールが、吸引溝（チャネル）を備えた底板を有することを開示している。上記吸引チャネルは、少なくとも１つの側部において、床面と係合するための作用エッジにより境界が区切られている。糸屑ピッカ（糸屑拾い装置）は、前記吸引チャンネルに沿って配置され、前記作用エッジにより該吸引チャンネルから分離されている。該糸屑ピッカは、当該床ツールにおける、上記作用エッジが位置する面に対して傾斜された表面に取り付けられている。糸屑ピッカは、細い毛の複数の房が固定された材料の細条片である。全ての房は、前記底板に対して同じ方向に整列される。該糸屑ピッカは、一方通行ゲートとして機能し、糸屑が、該床ツールが床に沿って押された場合は該糸屑ピッカの下を通過するが、該床ツールが後方に引かれた場合は阻止するようにする。床面を横切る該床ツールの前後の繰り返し作用によって、糸屑を捕捉し、球になるように転がし、該床ツールによって吸引され得るようにする。各糸屑ピッカは、前記底板の凹部内に取り付けられている。しかしながら、このようなツールの拾い性能は限られている。
【０００３】
ＤＥ１０２０１２０１００７５は、真空掃除機で使用するための床掃除用エレメント（例えば、フロアノズル）を開示している。このエレメントは、自由端が受入開口の中央に向けられた対角状剛毛を有する前側ブラシ細条と、後縁および／または前縁を横切る方向において前側ブラシ細条よりも狭い後側ブラシ細条とを有する。前側および後側吸引チャンネルが、前縁および後縁と前側および後側ブラシ細条との各々の間に設けられる。前側及び後側吸引チャネルは、それぞれ、前縁及び後縁に沿って延在し、前記受入開口と気流導通的に接続される。
【発明の概要】
【０００４】
本発明の目的は、とりわけ、改善された掃除機用具を提供することである。本発明は、独立請求項によって定義される。有利な実施形態は、従属請求項に規定される。
【０００５】
本発明の一態様は、吸引開口と、前記吸引開口の側部にある糸屑ピッカとを備える真空掃除機用具を提供し、前記糸屑ピッカは前記吸引開口に向かうエッジを形成する前記吸引開口の長軸に対して２０°から７０°の間の角度の線に沿った複数のリム（縁）を有する凹部内に取り付けられる。好ましくは、該糸屑ピッカは複数の三角形状のエレメントを有する。好ましくは、糸屑ピッカは、前記吸引開口の長軸に対して２０°と７０°との間の角度の線に沿った第１の境界と第２の境界とを有する複数のエレメントを有し、第１の境界と第２の境界との間の角度は１２０°を超えない。
【０００６】
理論に束縛されることを望まないが、先行技術のツールの準最適な性能の１つの理由は、糸屑ピッカが取り付けられた底板の凹部のリムに粗い塵埃粒子が詰まることであろう。凹部が、吸入開口に向かうエッジを形成する該吸入開口の長軸に対して２０°から７０°の間の角度の線に沿った複数のリムを有する場合、粗い塵埃粒子は上記リムの背後からより容易に脱出することができる。例えば、上記の尖ったエレメントの形状により、粗い塵埃粒子は吸入開口に近い点に集まり、したがって、他の粗い塵埃粒子がリムを超えて粗い塵埃粒子を押しやることができ、吸入開口で吸引され得るようになる。
【０００７】
本発明の別の態様は、吸引ユニットと、該吸引ユニットに連結されるように構成されたノズルとを備える真空掃除機を提供し、該ノズルはこのような真空掃除機用具によって形成される。
【０００８】
本発明のこれらおよび他の態様は、以下に記載される実施形態から明らかになり、これらを参照して説明される。
【図面の簡単な説明】
【０００９】
【図１】図１は、本発明による真空掃除機用具の実施形態を示す。
【図２】図２は、本発明による真空掃除機用具の実施形態を示す。
【発明を実施するための形態】
【００１０】
図１は、本発明の第１の実施形態による真空掃除機用具の底面図を示す。必須な要素のみが示されており、車輪及びブラシのように、本発明に関連しない他の要素は除外されている。真空掃除機用具（例えば、ノズル）１は、吸引開口３と、該吸引開口３の方向を指す複数の三角形エレメント５ａ〜５ｄを有する糸屑ピッカ５とを有する。一実施形態では、別の同様の糸屑ピッカが、吸引開口３の反対側に配置される。各三角形エレメント５ａ〜５ｄは、３つのリムを有するそれぞれの凹部内に取り付けられ、これらリムのうちの１つ（実線で示す）は吸入開口３と平行であり、これらリムのうちの符号７ａ〜７ｄを持つ２つ（点線で示す）は吸入開口３の長軸Ａ−Ａに対して２０°〜７０°の角度の線に沿って配向され、第１および第２の境界間の角度は１２０°である。境界７ａ〜７ｄの対は、吸入開口３に尖ったエッジを形成する。
【００１１】
図２は、本発明の第２の実施形態による真空掃除機用具の底面図を示す。図１と比較して、糸屑ピッカ５は、吸引開口３に向かって尖った複数の長方形エレメント５ａ〜５ｈを有している。この場合、前記凹部は複数の凹部によって形成されており、各々が長方形エレメント５ａ〜５ｈの対応する１つを収容している。各長方形エレメント５ａ〜５ｈは、吸入開口３の近くで出会い、これにより吸入開口３に向って尖ったエッジを形成する２つのリム７ａ〜７ｈ（点線で示す４つのリムのうちの）の対を有する各凹部に収容される。これらのリム７ａ〜７ｈは、吸引開口３の長軸Ａ−Ａに対して２０°〜７０°の角度の線に沿って配向される。リム７ａ〜７ｈの各対のリムの間の角度は９０°である。代替的な実施形態では、長方形エレメント５ａ〜５ｈが、それらの間に空間を有さず、この場合、糸屑ピッカ５を収容する単一の凹部が存在し得る。また、エレメント５ａ〜５ｈは（図１と同様に）真空掃除機用具１の下側境界に平行な真っ直ぐな下側境界を有することもでき、この場合、エレメント５ａ〜５ｈを収容する１つ又は複数の凹部も、同様に、真空掃除機用具１の下側境界に平行な真っ直ぐな下側境界を有することができる。
【００１２】
上述の実施形態は本発明を限定するのではなく例示するものであり、当業者は、添付の特許請求の範囲から逸脱することなく、多くの代替実施形態を設計することができることに留意されたい。例えば、糸屑ピッカ５はノズル１の底板の傾斜部分に取り付けることができ、糸屑ピッカ５は、吸引開口３に直に隣接する必要はない。例えば、ノズルの底板の平坦部分が吸引開口３に直に隣接して存在してもよく、一方、糸屑ピッカ５は、該平坦部分に隣接する底板の傾斜部分上に存在してもよい。糸屑ピッカ５のエレメントは別個のエレメントである必要はなく、これらエレメントは、各部分が吸引開口３に向いて尖る限り、重なり合い、及び／又は共通の基部を有してもよい。請求項において、括弧内に記された参照記号は、該請求項を限定するものと解釈してはならない。単語「有する」は請求項に列挙されたもの以外の要素又はステップの存在を排除するものではなく、要素に先行する単語「１つの」は複数のそのような要素の存在を排除するものではない。本発明は、いくつかの別個の要素を備えるハードウエアの手段によって実施することができる。幾つかの手段を列挙する装置クレームにおいて、これらの手段の幾つかは、ハードウエアの同一のアイテムによって具現化されてもよい。有利には、相互に異なる従属請求項に記載された手段を組み合わせて使用することができる。
【図１】
2022502107.tif 000003
【図２】
2022502107.tif 000004
【国際調査報告】
2022502107.tif 000005
2022502107.tif 000006